(57)【要約】【課題】放送エリアが変更した場合に変更後の放送エリアに対応する受信可能なチャンネル情報を作成して設定を行い、エリア限定放送を行っている放送局をユーザに通知できるようにする。【解決手段】携帯端末は、テレビ受信機能及びネットワーク機能を備え、チャンネル情報を保持するチャンネル情報保持手段と、基地局の変更を検出する基地局変更検出手段と、該検出結果に基づいて放送エリアの変更を検出する放送エリア変更検出手段と、該検出結果に基づいて、受信可能なチャンネルを検索してチャンネル情報を取得し、保持されたチャンネル情報を更新するチャンネル情報更新手段と、保持された放送エリア変更後に対応するチャンネル情報を設定するチャンネル情報設定手段と、ネットワーク上のサーバ装置からエリア限定放送の情報を取得するエリア限定放送情報取得手段と、取得されたエリア限定放送情報をユーザに通知するエリア限定放送通知手段と、を有する。【選択図】図１
2010206518.tif 000002
【特許請求の範囲】
【請求項１】
テレビ受信機能及びネットワーク機能を備え、
チャンネル情報を保持するチャンネル情報保持手段と、
前記携帯端末が位置登録を行っている基地局の変更を検出する基地局変更検出手段と、
前記基地局変更検出手段による検出結果に基づいて、放送エリアの変更を検出する放送エリア変更検出手段と、
前記放送エリア変更検出手段による検出結果に基づいて、受信可能なチャンネルを検索して放送エリア変更後に対応するチャンネル情報を取得し、前記チャンネル情報保持手段に保持されたチャンネル情報を更新するチャンネル情報更新手段と、
前記チャンネル情報保持手段で保持された放送エリア変更後に対応するチャンネル情報を設定するチャンネル情報設定手段と、
あらかじめ通信先として設定されたネットワーク上のサーバ装置に対して、エリア限定放送の情報を要求し、該情報を取得するエリア限定放送情報取得手段と、
前記エリア限定放送情報取得手段で取得されたエリア限定放送情報をユーザに通知するエリア限定放送通知手段と、
を有することを特徴とする携帯端末。
【請求項２】
前記エリア限定放送情報取得手段は、基地局への位置登録の際に、ネットワーク上の前記サーバ装置に対してエリア限定放送の情報の取得要求を行うことを特徴とする請求項１に記載の携帯端末。
【請求項３】
前記放送エリア変更検出手段で放送エリアの変更が検出され、該検出時点で前記チャンネル情報保持手段に放送エリア変更後に対応するチャンネル情報が保持されている場合、
前記チャンネル情報更新手段は、受信可能なチャンネルの検索を行わず、
前記チャンネル情報設定手段は、前記チャンネル情報保持手段に保持されている放送エリア変更後に対応するチャンネル情報を設定することを特徴とする請求項１又は２に記載の携帯端末。
【請求項４】
前記放送エリア変更検出手段で検出された放送エリアの変更を通知する放送エリア変更通知手段を有することを特徴とする請求項１から３のいずれか１項に記載の携帯端末。
【請求項５】
前記チャンネル情報設定手段で設定された前記チャンネル情報に、視聴中のチャンネルと同系列局のチャンネルが含まれる場合、前記同系列局のチャンネルを選局するチャンネル選局手段を有することを特徴とする請求項１から４のいずれか１項に記載の携帯端末。
【請求項６】
テレビ受信機能及びネットワーク機能を備える携帯端末で用いられ、
チャンネル情報を保持する記憶手段を備える前記携帯端末が位置登録を行っている基地局の変更を検出する基地局変更検出ステップと、
前記基地局変更検出ステップでの検出結果に基づいて、放送エリアの変更を検出する放送エリア変更検出ステップと、
前記放送エリア変更検出ステップでの検出結果に基づいて、受信可能なチャンネルを検索して放送エリア変更後に対応するチャンネル情報を取得し、前記記憶手段に保持されたチャンネル情報を更新するチャンネル情報更新ステップと、
前記記憶手段で保持された放送エリア変更後に対応するチャンネル情報を設定するチャンネル情報設定ステップと、
あらかじめ通信先として設定されたネットワーク上のサーバ装置に対して、エリア限定放送の情報を要求し、該情報を取得するエリア限定放送情報取得ステップと、
前記エリア限定放送情報取得ステップで取得されたエリア限定放送情報をユーザに通知するエリア限定放送通知ステップと、
を有することを特徴とする携帯端末のチャンネル情報設定方法。
【請求項７】
テレビ受信機能及びネットワーク機能を備える携帯端末で用いられ、
コンピュータに、
チャンネル情報を保持する記憶手段を備える前記携帯端末が位置登録を行っている基地局の変更を検出する基地局変更検出処理と、
前記基地局変更検出処理での検出結果に基づいて、放送エリアの変更を検出する放送エリア変更検出処理と、
前記放送エリア変更検出処理での検出結果に基づいて、受信可能なチャンネルを検索して放送エリア変更後に対応するチャンネル情報を取得し、前記記憶手段に保持されたチャンネル情報を更新するチャンネル情報更新処理と、
前記記憶手段で保持された放送エリア変更後に対応するチャンネル情報を設定するチャンネル情報設定処理と、
あらかじめ通信先として設定されたネットワーク上のサーバ装置に対して、エリア限定放送の情報を要求し、該情報を取得するエリア限定放送情報取得処理と、
前記エリア限定放送情報取得処理で取得されたエリア限定放送情報をユーザに通知するエリア限定放送通知処理と、
を実行させることを特徴とするプログラム。
【請求項８】
請求項７に記載のプログラムを記録しコンピュータ読み取り可能なことを特徴とする記録媒体。
【発明の詳細な説明】
【技術分野】
【０００１】
本発明は、携帯端末、そのチャンネル情報設定方法、プログラム及び記録媒体に関し、特に、例えばテレビ受信機能を備えた携帯電話機で放送エリアが変更した際のチャンネルリスト設定に好ましく適用される技術に関するものである。
【背景技術】
【０００２】
地上デジタル放送等のテレビ放送は、複数の放送局から発信された異なる周波数の放送用電波によってなされている。各放送局が発信する放送用電波の周波数はあらかじめ決まっているため、各周波数にはチャンネル番号が対応して設定され、各周波数には各放送局が対応している。そして、放送局は全国に多数存在し、この中で各地域で受信できるテレビ放送は、放送に用いられる電波の到達距離によって限られている。また、地域によって、受信できるチャンネルやこれに対応する放送局は異なる場合がある。
【０００３】
通常、地上デジタル放送を受信するために、現在地で受信できる放送局をチューニングにより検索してチャンネルリストとして保持するが、上述したように、関東や関西等の地域により放送局が異なるため、ユーザは、放送エリアが変更するたびにチャンネルリストを切り替える必要がある。
【０００４】
一方で、現在はサイマル放送が中心だが、非特許文献１に記載されているように、地域限定のワンセグ放送の実証試験等が実施されているところであり、チャンネル設定やユーザを視聴するように誘導する方式が議論されている。また、現在地を知る手段としてＧＰＳを利用することも可能であるが、携帯電話機で地上デジタル機能とＧＰＳ機能を同時に動かすにはＣＰＵの負担が大きく、また消費電力が大きくなるという問題もある。
【０００５】
例えば特許文献１では、通話前に視聴していた放送局のサービスエリアの範囲外に移動した場合に、同系列局のチャンネルを選局するテレビ受信機一体型携帯電話装置が開示されている。また、例えば特許文献２では、受信可能チャンネル探索処理の実行回数を低減させることができ、使い勝手が向上するテレビ放送受信機能付き携帯型電話機における受信可能チャンネル情報取得方法が開示されている。
【先行技術文献】
【特許文献】
【０００６】
【特許文献１】特開２００４−１５３３９９号公報
【特許文献２】特開２００４−３１２１６４号公報
【非特許文献】
【０００７】
【非特許文献１】神尾  寿、“「渋谷だけで見られるワンセグ」−エリア限定ワンセグが話題になる理由”、[online]、平成２０年１２月１０日、[平成２１年２月２５日検索]、インターネット<URL:http://plusd.itmedia.co.jp/mobile/articles/0812/10/news046.html>,<URL:http://plusd.itmedia.co.jp/mobile/articles/0812/10/news046_2.html>」”
【発明の概要】
【発明が解決しようとする課題】
【０００８】
特許文献１や特許文献２で開示された発明は、ユーザの移動により携帯電話機の基地局が変わり、放送エリアが変更した場合に、該放送エリアで視聴可能な放送局をサーチし、チャンネルリストを作成して設定を行うものであるが、エリア限定放送を行っている放送局をユーザに知らせることについては対応できない。
【０００９】
そこで、本発明は、放送エリアが変更した場合に変更後の放送エリアに対応する受信可能なチャンネル情報を作成して設定を行うとともに、エリア限定放送を行っている放送局をユーザに通知できるようにすることを目的とする。
【課題を解決するための手段】
【００１０】
本発明の一側面である携帯端末は、テレビ受信機能及びネットワーク機能を備え、チャンネル情報を保持するチャンネル情報保持手段と、携帯端末が位置登録を行っている基地局の変更を検出する基地局変更検出手段と、基地局変更検出手段による検出結果に基づいて、放送エリアの変更を検出する放送エリア変更検出手段と、放送エリア変更検出手段による検出結果に基づいて、受信可能なチャンネルを検索して放送エリア変更後に対応するチャンネル情報を取得し、チャンネル情報保持手段に保持されたチャンネル情報を更新するチャンネル情報更新手段と、チャンネル情報保持手段で保持された放送エリア変更後に対応するチャンネル情報を設定するチャンネル情報設定手段と、あらかじめ通信先として設定されたネットワーク上のサーバ装置に対して、エリア限定放送の情報を要求し、該情報を取得するエリア限定放送情報取得手段と、エリア限定放送情報取得手段で取得されたエリア限定放送情報をユーザに通知するエリア限定放送通知手段と、を有する。
【００１１】
本発明の一側面である携帯端末のチャンネル情報設定方法は、テレビ受信機能及びネットワーク機能を備える携帯端末で用いられ、チャンネル情報を保持する記憶手段を備える該携帯端末が位置登録を行っている基地局の変更を検出する基地局変更検出ステップと、基地局変更検出ステップでの検出結果に基づいて、放送エリアの変更を検出する放送エリア変更検出ステップと、放送エリア変更検出ステップでの検出結果に基づいて、受信可能なチャンネルを検索して放送エリア変更後に対応するチャンネル情報を取得し、記憶手段に保持されたチャンネル情報を更新するチャンネル情報更新ステップと、記憶手段で保持された放送エリア変更後に対応するチャンネル情報を設定するチャンネル情報設定ステップと、あらかじめ通信先として設定されたネットワーク上のサーバ装置に対して、エリア限定放送の情報を要求し、該情報を取得するエリア限定放送情報取得ステップと、エリア限定放送情報取得ステップで取得されたエリア限定放送情報をユーザに通知するエリア限定放送通知ステップと、を有する。
【００１２】
本発明の一側面であるプログラムは、テレビ受信機能及びネットワーク機能を備える携帯端末で用いられ、コンピュータに、チャンネル情報を保持する記憶手段を備える携帯端末が位置登録を行っている基地局の変更を検出する基地局変更検出処理と、基地局変更検出処理での検出結果に基づいて、放送エリアの変更を検出する放送エリア変更検出処理と、放送エリア変更検出処理での検出結果に基づいて、受信可能なチャンネルを検索して放送エリア変更後に対応するチャンネル情報を取得し、記憶手段に保持されたチャンネル情報を更新するチャンネル情報更新処理と、記憶手段で保持された放送エリア変更後に対応するチャンネル情報を設定するチャンネル情報設定処理と、あらかじめ通信先として設定されたネットワーク上のサーバ装置に対して、エリア限定放送の情報を要求し、該情報を取得するエリア限定放送情報取得処理と、エリア限定放送情報取得処理で取得されたエリア限定放送情報をユーザに通知するエリア限定放送通知処理と、を実行させる。
【００１３】
本発明の一側面である記録媒体は、上記のプログラムを記録したコンピュータ読み取り可能な記録媒体である。
【発明の効果】
【００１４】
本発明によれば、放送エリアが変更した場合に変更後の放送エリアに対応する受信可能なチャンネル情報を作成して設定を行うことができ、エリア限定放送を行っている放送局をユーザに通知することが可能となる。
【図面の簡単な説明】
【００１５】
【図１】本発明に係る携帯端末の構成を示した図である。
【図２】本発明の実施形態に係る携帯電話機の構成を示した図である。
【図３】本発明の実施形態に係る携帯電話機の動作の概要を説明するための図である。
【図４】本発明の実施形態に係る携帯電話機が行う処理の流れを示したフローチャートである。
【図５】本発明の実施形態に係る携帯電話機の動作の概要を説明するための図である。
【図６】本発明の実施形態に係る携帯電話機が行う処理の流れを示したフローチャートである。
【発明を実施するための形態】
【００１６】
本発明では、図１に示すように、携帯端末１は、テレビ放送を受信するテレビ受信機能及びネットワーク上の機器と通信を行うネットワーク機能を備え、チャンネル情報保持手段２、基地局変更検出手段３、放送エリア変更検出手段４、チャンネル情報更新手段５、チャンネル情報設定手段６、エリア限定放送情報取得手段７、エリア限定放送通知手段８を有する。
【００１７】
チャンネル情報保持手段２は、放送局の周波数やチャンネル等を含むチャンネル情報を保持する。基地局変更検出手段３は、位置登録情報の送信先で携帯端末が位置登録を行っている基地局の変更を検出する。放送エリア変更検出手段４は、基地局変更検出手段３の検出結果に基づいて、放送エリアの変更を検出する。チャンネル情報更新手段５は、放送エリア変更検出手段４の検出結果に基づいて、変更後の放送エリアで受信可能なチャンネルを検索してチャンネル情報を取得し、チャンネル情報保持手段２で保持されたチャンネル情報を更新する。チャンネル情報設定手段６は、チャンネル情報で保持された放送エリア変更後に対応するチャンネル情報の設定を行う。
【００１８】
エリア限定放送情報取得手段７は、あらかじめ通信先として設定されたネットワーク上のサーバ装置に対して、携帯端末が位置登録しているエリアでエリア限定の放送の有無や該放送が行われているチャンネルといったエリア限定放送の情報を要求し、このエリア限定放送情報を取得する。エリア限定放送通知手段８は、エリア限定放送情報取得手段７で取得されたエリア限定放送情報をユーザに通知する。
【００１９】
本発明では、放送エリア変更検出手段４が基地局変更検出手段３での検出結果に基づいて放送エリアの変更を検出し、チャンネル情報更新手段５が放送エリア変更検出手段４での検出結果に基づいて変更後の放送エリアで受信可能なチャンネル情報を取得してチャンネル情報の更新を行い、チャンネル情報設定手段６が放送エリア変更後に対応するチャンネル情報の設定を行う。このようにして、放送エリア変更ごとにユーザが逐一チャンネルをサーチしてチャンネル情報を設定することなく、携帯端末側で変更後の放送エリアに対応する受信可能なチャンネル情報を作成して設定を行うことができる。また、放送エリアの変更を把握するのに位置登録を利用するため、ＧＰＳを使用する場合と比較してＣＰＵの負担が小さく、また消費電力を抑制できる。
【００２０】
また、本発明では、エリア限定放送情報取得手段７がネットワーク上のサーバ装置から限定放送の情報を要求して取得し、エリア限定放送通知手段８がエリア限定放送情報取得手段７で取得されたエリア限定放送情報をユーザに通知するため、ユーザは放送を受信しているエリアでの行われているエリア限定放送を知ることができる。
【００２１】
以下、本発明の実施形態について図面を参照して説明する。
【００２２】
［第１実施形態］
本発明の第１実施形態では、図３に示すように、携帯電話機１００が放送エリアＡ５１０から放送エリアＢ５２０に移動した場合に、放送エリアＢ５２０で受信可能なチャンネルの情報であるチャンネルリストＢ１２０を取得して設定し、放送エリアＢ５２０でのみ放送されているエリア限定放送の通知メール１５０を、ネットワーク３００で接続されたサーバ４００から基地局ｂ２００を介して受信する。
【００２３】
はじめに、本発明の第１実施形態に係る携帯電話機の構成について説明する。図２は、本発明の第１実施形態に係る携帯電話機の構成を示した図である。携帯電話機１００は、テレビ受信部１０、無線通信部２０、表示部３０、音声出力部４０、制御部５０、メモリ６０、操作部７０を有する。
【００２４】
制御部５０は、メモリ６０に格納されたプログラムを実行する処理ユニットであり、携帯電話機１００の各部を制御する。また、制御部５０は、メモリ６０から本発明特有の処理を行わせるプログラムを読み込んで、図１に示す各手段を構成する。なお、図１に示す各手段は、上記のようにソフトウエアを用いて実現することもできるが、例えば回路等のハードウエアのみで実現することも可能である。メモリ６０は、携帯電話機１００の全体制御プログラム、本発明特有の処理を実施するためにプログラム、テレビ受信に用いられるチャンネル情報を格納する記憶領域、制御部５０のワークメモリとしての記憶領域を有する。
【００２５】
テレビ受信部１０は、テレビ受信機能を備えており、制御部５０から入力される指示（操作部７０で受け付けられた操作内容）に従って受信チャンネルを決定して放送を受信し、制御部５０を介して、表示部３０にテレビ映像、音声出力部４０にテレビ音声を出力する。無線通信部２０は、ネットワーク機能を備えており、基地局との間で無線通信を行う。無線通信部２０は、基地局から受信した通信データ（画像、音声、メール等）や制御データを制御部５０に出力するとともに、制御部５０から入力される通信データ（画像、音声、メール等）や制御データを基地局に対して送信する。
【００２６】
表示部３０は、液晶ディスプレイ等の画像出力デバイスを含んで構成され、制御部５０から入力されるデータを画像出力する。音声出力部４０は、スピーカ等の音声出力デバイスを含んで構成され、制御部５０から入力されるデータを音声出力する。操作部７０は、キーパッド等の入力デバイスを含んで構成される。ユーザは、制御部５０が表示部３０に出力する各種データを参照しながら、操作部７０において種々の入力操作を行う。操作部７０は、この入力操作を受け付け、その内容を示すデータを制御部５０に出力する。このデータには、例えば受信チャンネルを指示するためのデータや、メールの内容を示すデータ等、種々のものが含まれる。
【００２７】
次に、第１実施形態における携帯電話機の動作処理について説明する。図４は、本発明の第１実施形態に係る携帯電話機が行う処理の流れを示したフローチャートである。携帯電話機１００は、一定のタイミングで基地局へ位置登録情報を送信して位置登録を行う（ステップＳ１０１）。そして、基地局変更検出手段３は、基地局への位置登録の結果、接続先の基地局が変更したか否かを判定する（ステップＳ１０２）。基地局が変更したと判定された場合（ステップＳ１０２／ＹＥＳ）、放送エリア変更検出手段４は、位置登録情報を用いて放送エリアが変更したか否かを判定する（ステップＳ１０３）。
【００２８】
放送エリアが変更したと判定された場合（ステップＳ１０３／ＹＥＳ）、チャンネル情報更新手段５は、保持されたチャンネル情報に、変更後の放送エリアで受信可能なチャンネルの情報が全て含まれるか否かを判定する（ステップＳ１０４）。なお、基地局や放送エリアの変更がなかった場合（ステップＳ１０２／ＮＯ、ステップＳ１０３／ＮＯ）は、放送エリア変更後のチャンネルリストに設定する必要がなく、処理は終了となる。
【００２９】
保持されたチャンネル情報に、変更後の放送エリアで受信可能なチャンネルの情報が全て含まれていないと判定された場合（ステップＳ１０４／ＮＯ）、チャンネル情報更新手段５は、該放送エリアで受信可能な放送局のチャンネルをサーチし（ステップＳ１０５）、チャンネルリストを作成して更新する（ステップＳ１０６）。チャンネル情報設定手段６は、更新された変更後の放送エリアで受信可能なチャンネルリストを用いてチャンネルリスト設定を行う（ステップＳ１０７）。
【００３０】
保持されたチャンネル情報に、変更後の放送エリアで受信可能なチャンネルの情報が全て含まれていると判定された場合（ステップＳ１０４／ＹＥＳ）、サーチやチャンネルリスト更新は行わず、保持されている変更後放送エリアに対応するチャンネルリストを用いてチャンネルリスト設定を行う（ステップＳ１０７）。
【００３１】
続いて、エリア限定放送情報取得手段７は、ネットワーク上のサーバに対して、変更後放送エリアにおけるエリア限定放送の情報の取得要求を行い（ステップＳ１０８）、該エリア限定放送情報を取得する（ステップＳ１０９）。エリア限定放送情報はメールで取得してもよいし、その他のデータ形式で取得してもよい。また、このネットワーク上のサーバの情報（例えばアドレス情報等）は携帯電話機１００にデフォルトで設定されており、携帯電話機１００は、位置登録の際に、位置登録情報とともにエリア限定放送情報の取得要求を基地局に送信するようにしてもよい。
【００３２】
次いで、エリア限定放送通知手段８は、エリア限定放送情報取得手段７で取得されたエリア限定放送情報をユーザに通知する（ステップＳ１１０）。ユーザへの通知は、受信メールとして画面表示してもよいし、テレビ視聴画面上にテロップで表示してもよい。また、音声で通知するように構成することもできる。
【００３３】
本発明の第１実施形態によれば、地上デジタル放送を受信する機能を備えた携帯電話では、視聴を開始する際に、現在地で受信できる放送局リスト（チャンネルリスト）をユーザの操作によらずに取得でき、ユーザは該リストの中から所望の放送を受信し、視聴することが可能となる。
【００３４】
また、本発明の第１実施形態によれば、現在地の位置を取得する手段として位置登録情報を利用するため、ＧＰＳを用いる方法と比較して、ＣＰＵ負荷や消費電力を抑制することが可能となる。
【００３５】
また、本発明の第１実施形態によれば、ユーザが移動後の放送エリアでエリア限定放送が実施されていることをタイムリーに把握でき、エリア限定放送の視聴への誘導するサービスに応用することが可能である。
【００３６】
［第２実施形態］
本発明の第２実施形態では、図５に示すように、変更後の放送エリアで受信可能なチャンネルリストを取得して設定し、エリア限定放送情報を取得することのほか、携帯電話機１００が放送エリアＡ５１０から放送エリアＢ５２０に移動した場合に、エリア変更前に視聴していた放送局と同一ネットワーク系列の放送局のチャンネルを選局して、放送番組の視聴を継続できるようにしている。携帯電話機１００の構成は図２に示すように第１実施形態と同様であるため説明を省略し、動作処理について述べることとする。なお、第２実施形態では、携帯電話機１００の制御部５０が、図１の各手段に加えて、同系列局のチャンネルを選局するチャンネル選局手段を構成する。
【００３７】
図６は、本発明の第２実施形態に係る携帯電話機が行う処理の流れを示したフローチャートである。放送局の判定とチャンネルの選局の処理以外は、第１実施形態と同様である。携帯電話機１００は、一定のタイミングで位置登録を行い（ステップＳ２０１）。基地局の変更、放送エリアの変更を判定する（ステップＳ２０２、ステップＳ２０３）。基地局及び放送エリアが変更した場合（ステップＳ２０２／ＹＥＳ、ステップＳ２０３／ＹＥＳ）、チャンネル情報更新手段５は、保持されたチャンネル情報に、変更後の放送エリアで受信可能なチャンネルの情報が全て含まれるか否かを判定する（ステップＳ２０４）。
【００３８】
保持されたチャンネル情報に、変更後の放送エリアで受信可能なチャンネルの情報が全て含まれていないと判定された場合（ステップＳ２０４／ＮＯ）、チャンネル情報更新手段５は、該放送エリアで受信可能な放送局のチャンネルをサーチし（ステップＳ２０５）、チャンネルリストを作成して更新する（ステップＳ２０６）。チャンネル情報設定手段６は、更新された変更後の放送エリアで受信可能なチャンネルリストを用いてチャンネルリスト設定を行う（ステップＳ２０７）。
【００３９】
次に、チャンネル選局手段は、設定したチャンネルリストに変更前に視聴していた放送局と同一ネットワーク系列の放送局のチャンネルが含まれているか否かを判定する（ステップＳ２０８）。チャンネル選局手段は、同一ネットワーク系列の放送局のチャンネルが含まれていると判定した場合（ステップＳ２０８／ＹＥＳ）、この同一ネットワーク系列の放送局のチャンネルを選局して該チャンネルの放送を受信できるようにする（ステップＳ２０９）。逆に、同一ネットワーク系列の放送局のチャンネルが含まれていないと判定した場合（ステップＳ２０８／ＮＯ）、デフォルトで設定されているチャンネルを選局する（ステップＳ２１０）。
【００４０】
続いて、エリア限定放送情報取得手段７は、ネットワーク上のサーバに対して、変更後放送エリアにおけるエリア限定放送の情報の取得要求を行い（ステップＳ２１１）、エリア限定放送情報を取得する（ステップＳ２１２）。そして、エリア限定放送通知手段８は、エリア限定放送情報取得手段７で取得されたエリア限定放送情報をユーザに通知する（ステップＳ２１３）。
【００４１】
本発明の第２の実施形態によれば、ユーザが放送エリアの変更を伴う移動をした場合でも、変更前の放送エリアで視聴していた番組の放送局と同一ネットワーク系列の放送局を携帯電話機側で選局するため、ユーザは特別な操作をせずに同一の放送番組を継続して視聴することが可能である。
【００４２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００４３】
すなわち、本発明の実施形態における携帯電話機で実行されるプログラムは、先に述べた各手段（チャンネル情報保持手段２、基地局変更検出手段３、放送エリア変更検出手段４、チャンネル情報更新手段５、チャンネル情報設定手段６、エリア限定放送情報取得手段７、エリア限定放送通知手段８等）を含むモジュール構成となっており、実際のハードウエアを用いて具体的手段を実現する。すなわち、コンピュータ（ＣＰＵ）が所定の記録媒体からプログラムを読み出して実行することにより上記各手段が主記憶装置上にロードされて生成される。
【００４４】
本発明の実施形態における携帯電話機で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００４５】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００４６】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【符号の説明】
【００４７】
１    携帯端末
２    チャンネル情報保持手段
３    基地局変更検出手段
４    放送エリア変更検出手段
５    チャンネル情報更新手段
６    チャンネル情報設定手段
７    エリア限定放送情報取得手段
８    エリア限定放送通知手段
１０    テレビ受信部
２０    無線通信部
３０    表示部
４０    音声出力部
５０    制御部
６０    メモリ
７０    操作部
１００    携帯電話機
１１０    チャンネルリストＡ
１２０    チャンネルリストＢ
１５０    放送通知メール
２１０    基地局ａ
２２０    基地局ｂ
３００    ネットワーク
４００    サーバ
５１０    放送エリアＡ
５２０    放送エリアＢ
【図１】
2010206518.tif 000003
【図２】
2010206518.tif 000004
【図３】
2010206518.tif 000005
【図４】
2010206518.tif 000006
【図５】
2010206518.tif 000007
【図６】
2010206518.tif 000008